(57)【特許請求の範囲】
【請求項１】
下支持板と前記下支持板の下側に設置された移動輪とを含み、前記下支持板の上側には高さを調整できる上支持板が設置され、前記上支持板の上端面には旋転モーターが固定的に設置され、前記旋転モーターの上側には旋転軸が伝動可能に連結され、前記旋転軸の上端には旋転バットが固定的に設置され、前記旋転バットの中には装着空間が設置され、前記装着空間が上方に開口し、前記装着空間の中には装着桶が装着され、前記装着桶の中には上方に開口した収容空間が設置され、前記収容空間の内壁には支持リングが固定的に設置され、手術器具を前記収容空間の中に置き、前記装着桶の上端には指示灯が固定的に設置され、前記上支持板の前端面には前記旋転バットの前側に位置する装着板が延伸ロッドにより固定的に設置され、前記装着板の上端面には各前記装着空間に一対一で対応するスイッチが設置され、各前記スイッチのそばには対応の手術器具の名称が書かれ、医療スタッフは前記装着板の前側に立ってスイッチを押し、前記旋転バットが前記旋転軸に駆動されて対応の手術器具のある装着桶を前記装着板に近接するように回転させ、指示灯を点け、前記収容空間の中には洗浄消毒機構が設置され、前記洗浄消毒機構は再使用する必要がある使用済みの手術器具に洗浄と消毒と乾燥を行えることを特徴とする手術器具を取るのに便利な医療用バット。
【請求項２】
前記指示灯の片側には番号札が固定的に設置され、前記装着空間の底壁には番号が付けられ、前記装着桶を装着する時、前記番号札を前記装着空間の底壁に付いた番号に一対一で対応させるように装着することを特徴とする請求項１に記載の手術器具を取るのに便利な医療用バット。
【請求項３】
前記洗浄消毒機構は前記収容空間の中に位置するノズルを含み、前記ノズルが前記収容空間の内壁の周りに設置され、前記収容空間の内壁には前記ノズルの下側に位置する環状の電熱板が設置され、前記収容空間の中には前記電熱板の下側に位置する送風ノズルが設置され、前記装着桶の下側には前記収容空間と連通した水管が固定的に設置されていることを特徴とする請求項１に記載の手術器具を取るのに便利な医療用バット。
【請求項４】
前記装着桶の下側には前記送風ノズルと連通した第一連結管が固定的に設置され、前記第一連結管の中には第一セルフコントロールバルブが装着され、前記装着桶の下側には前記ノズルと連通した第二連結管が固定的に設置され、前記第二連結管の中には第二セルフコントロールバルブが装着され、前記下支持板の上端面には消毒液桶が固定的に設置され、前記消毒液桶の上側にある送水管の上端は前記装着空間の中に伸び、前記下支持板の上端面にはファンが固定的に設置され、前記ファンの送風管の上端は前記装着空間の中に伸び、前記下支持板の上端面には廃水貯蔵桶が固定的に設置され、前記廃水貯蔵桶の上側にある排水管は前記装着空間の中に伸び、前記装着桶が前記装着空間の中に装着された後、第二連結管と前記送水管とが連通し、前記第一連結管と前記送風管とが連通し、前記水管と前記排水管とが連通するようになることを特徴とする請求項３に記載の手術器具を取るのに便利な医療用バット。
【請求項５】
前記装着桶の側面には位置制限ブロックが左右対称となるようかつ固定的に設置され、前記装着空間の内壁には電源接点が設置され、前記位置制限ブロックの下端面には接点が固定的に設置され、前記装着桶が前記装着空間の中に装着された後、前記接点と前記電源接点とが接触し、前記下支持板の上端面には蓄電池が固定的に設置され、前記蓄電池は前記第二セルフコントロールバルブ、前記第一セルフコントロールバルブ、及び前記指示灯に電力を提供することを特徴とする請求項４に記載の手術器具を取るのに便利な医療用バット。
【請求項６】
前記上支持板の上端面には前記旋転バットの右側に位置する固定バットが固定的に設置されていることを特徴とする請求項１に記載の手術器具を取るのに便利な医療用バット。
【請求項７】
前記下支持板の上端面には電動伸縮ロッドが左右対称となるようかつ固定的に設置され、前記上支持板が前記電動伸縮ロッドの上側にあるプッシュロッドの上端に固定的に装着されていることを特徴とする請求項１に記載の手術器具を取るのに便利な医療用バット。
【発明の詳細な説明】
【技術分野】
【０００１】
本願発明は医療機器技術分野に関し、具体的には手術器具を取るのに便利な医療用バットである。
【背景技術】
【０００２】
医療用バットは手術で一般的に使用される器具で、主にバットと支持フレームによって構成される。使用時には、医療スタッフが選択するために手術用の手術器具を医療用バットに置き、看護師は手術器具を医師に渡す。しかし、複雑な手術の場合、必要な手術器具が多く、看護師は、必要とする器具を素早く見つけて医師に渡す前に長時間の訓練が必要であり、でも、人工操作で器具を渡すのはミスが出る問題を避けられなく、例えば、器具を間違える問題や器具を見つけるためにかかった時間が長い問題などある。また、一回の手術で一部の器具は短時間で何回使用されることはあるため、器具に付いた血液などを速やかに消去する必要があり、手動で血液を消去する効率が低く、上記の問題を解決できるため、本願発明を開示する。
【先行技術文献】
【特許文献】
【０００３】
【特許文献１】中国特許出願公開第１０５２４６４４７号明細書
【発明の概要】
【発明が解決しようとする課題】
【０００４】
本願発明は手術器具を取るのに便利な医療用バットを提供し、既存技術にある上記の欠点を解消することを目的とする。
【課題を解決するための手段】
【０００５】
本願発明は以下の技術プランにより実現される。
【０００６】
手術器具を取るのに便利な医療用バットは、下支持板と前記下支持板の下側に設置された移動輪とを含み、前記下支持板の上側には高さを調整できる上支持板が設置され、前記上支持板の上端面には旋転モーターが固定的に設置され、前記旋転モーターの上側には旋転軸が伝動可能に連結され、前記旋転軸の上端には旋転バットが固定的に設置され、前記旋転バットの中には装着空間が設置され、前記装着空間が上方に開口し、前記装着空間の中には装着桶が装着され、前記装着桶の中には上方に開口した収容空間が設置され、前記収容空間の内壁には支持リングが固定的に設置され、手術器具を前記収容空間の中に置き、前記装着桶の上端には指示灯が固定的に設置され、前記上支持板の前端面には前記旋転バットの前側に位置する装着板が延伸ロッドにより固定的に設置され、前記装着板の上端面には各前記装着空間に一対一で対応するスイッチが設置され、各前記スイッチのそばには対応の手術器具の名称が書かれ、医療スタッフは前記装着板の前側に立ってスイッチを押し、前記旋転バットが前記旋転軸に駆動されて対応の手術器具のある装着桶を前記装着板に近接するように回転させ、指示灯を点け、前記収容空間の中には洗浄消毒機構が設置され、前記洗浄消毒機構は再使用する必要がある使用済みの手術器具に洗浄と消毒と乾燥を行える。
【０００７】
有益なように、前記指示灯の片側には番号札が固定的に設置され、前記装着空間の底壁には番号が付けられ、前記装着桶を装着する時、前記番号札を前記装着空間の底壁に付いた番号に一対一で対応させるように装着する。
【０００８】
有益なように、前記洗浄消毒機構は前記収容空間の中に位置するノズルを含み、前記ノズルが前記収容空間の内壁の周りに設置され、前記収容空間の内壁には前記ノズルの下側に位置する環状の電熱板が設置され、前記収容空間の中には前記電熱板の下側に位置する送風ノズルが設置され、前記装着桶の下側には前記収容空間と連通した水管が固定的に設置されている。
【０００９】
有益なように、前記装着桶の下側には前記送風ノズルと連通した第一連結管が固定的に設置され、前記第一連結管の中には第一セルフコントロールバルブが装着され、前記装着桶の下側には前記ノズルと連通した第二連結管が固定的に設置され、前記第二連結管の中には第二セルフコントロールバルブが装着され、前記下支持板の上端面には消毒液桶が固定的に設置され、前記消毒液桶の上側にある送水管の上端は前記装着空間の中に伸び、前記下支持板の上端面にはファンが固定的に設置され、前記ファンの送風管の上端は前記装着空間の中に伸び、前記下支持板の上端面には廃水貯蔵桶が固定的に設置され、前記廃水貯蔵桶の上側にある排水管は前記装着空間の中に伸び、前記装着桶が前記装着空間の中に装着された後、第二連結管と前記送水管とが連通し、前記第一連結管と前記送風管とが連通し、前記水管と前記排水管とが連通するようになる。
【００１０】
有益なように、前記装着桶の側面には位置制限ブロックが左右対称となるようかつ固定的に設置され、前記装着空間の内壁には電源接点が設置され、前記位置制限ブロックの下端面には接点が固定的に設置され、前記装着桶が前記装着空間の中に装着された後、前記接点と前記電源接点とが接触し、前記下支持板の上端面には蓄電池が固定的に設置され、前記蓄電池は前記第二セルフコントロールバルブ、前記第一セルフコントロールバルブ、及び前記指示灯に電力を提供する。
【００１１】
有益なように、前記上支持板の上端面には前記旋転バットの右側に位置する固定バットが固定的に設置されている。
【００１２】
有益なように、前記下支持板の上端面には電動伸縮ロッドが左右対称となるようかつ固定的に設置され、前記上支持板が前記電動伸縮ロッドの上側にあるプッシュロッドの上端に固定的に装着されている。
【発明の効果】
【００１３】
本願発明の効果は：本願発明は二つの医療用バットを設置し、一つの医療用バットにはガーゼや縫合糸などの使い捨てものを置き、もう一つの医療用バットにはハサミやメスなどの手術器具を置き、手術器具のある医療用バットは旋転でき、看護師は医師の必要とする器具によって対応のスイッチを押し、バットは正確な器具を指定位置まで回転させ、手動で器具を探すことは不要であり、器具を間違えて渡す問題を防ぎ、医療用バットには洗浄消毒機構が設置され、本願発明は再使用する必要がある器具に洗浄及び消毒を素早く行える。
【図面の簡単な説明】
【００１４】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構成概略図
【図２】図２は図１におけるＡ―Ａの構成概略図
【図３】図３は図２におけるＢ―Ｂの構成概略図
【図４】図４は図１におけるＣ―Ｃの構成概略図
【発明を実施するための形態】
【００１６】
図１〜４に記載の手術器具を取るのに便利な医療用バットは、下支持板１１と前記下支持板１１の下側に設置された移動輪１０とを含み、前記下支持板１１の上側には高さを調整できる上支持板２０が設置され、前記上支持板２０の上端面には旋転モーター１５が固定的に設置され、前記旋転モーター１５の上側には旋転軸１３が伝動可能に連結され、前記旋転軸１３の上端には旋転バット１８が固定的に設置され、前記旋転バット１８の中には装着空間４１が設置され、前記装着空間４１が上方に開口し、前記装着空間４１の中には装着桶３６が装着され、前記装着桶３６の中には上方に開口した収容空間３０が設置され、前記収容空間３０の内壁には支持リング３７が固定的に設置され、手術器具を前記収容空間３０の中に置き、前記装着桶３６の上端には指示灯１６が固定的に設置され、前記上支持板２０の前端面には前記旋転バット１８の前側に位置する装着板２９が延伸ロッド１４により固定的に設置され、前記装着板２９の上端面には各前記装着空間４１に一対一で対応するスイッチ２８が設置され、各前記スイッチ２８のそばには対応の手術器具の名称が書かれ、医療スタッフは前記装着板２９の前側に立ってスイッチ２８を押し、前記旋転バット１８が前記旋転軸１３に駆動されて対応の手術器具のある装着桶３６を前記装着板２９に近接するように回転させ、指示灯１６を点け、前記収容空間３０の中には洗浄消毒機構８０が設置され、前記洗浄消毒機構８０は再使用する必要がある使用済みの手術器具に洗浄と消毒と乾燥を行える。
【００１７】
有益なように、前記指示灯１６の片側には番号札１７が固定的に設置され、前記装着空間４１の底壁には番号が付けられ、前記装着桶３６を装着する時、前記番号札１７を前記装着空間４１の底壁に付いた番号に一対一で対応させるように装着する。
【００１８】
有益なように、前記洗浄消毒機構８０は前記収容空間３０の中に位置するノズル３５を含み、前記ノズル３５が前記収容空間３０の内壁の周りに設置され、前記収容空間３０の内壁には前記ノズル３５の下側に位置する環状の電熱板３４が設置され、前記収容空間３０の中には前記電熱板３４の下側に位置する送風ノズル３３が設置され、前記装着桶３６の下側には前記収容空間３０と連通した水管４４が固定的に設置されている。
【００１９】
有益なように、前記装着桶３６の下側には前記送風ノズル３３と連通した第一連結管３２が固定的に設置され、前記第一連結管３２の中には第一セルフコントロールバルブ３１が装着され、前記装着桶３６の下側には前記ノズル３５と連通した第二連結管４２が固定的に設置され、前記第二連結管４２の中には第二セルフコントロールバルブ４３が装着され、前記下支持板１１の上端面には消毒液桶２６が固定的に設置され、前記消毒液桶２６の上側にある送水管２５の上端は前記装着空間４１の中に伸び、前記下支持板１１の上端面にはファン２１が固定的に設置され、前記ファン２１の送風管２２の上端は前記装着空間４１の中に伸び、前記下支持板１１の上端面には廃水貯蔵桶２４が固定的に設置され、前記廃水貯蔵桶２４の上側にある排水管２３は前記装着空間４１の中に伸び、前記装着桶３６が前記装着空間４１の中に装着された後、第二連結管４２と前記送水管２５とが連通し、前記第一連結管３２と前記送風管２２とが連通し、前記水管４４と前記排水管２３とが連通するようになる。
【００２０】
有益なように、前記装着桶３６の側面には位置制限ブロック３８が左右対称となるようかつ固定的に設置され、前記装着空間４１の内壁には電源接点４０が設置され、前記位置制限ブロック３８の下端面には接点３９が固定的に設置され、前記装着桶３６が前記装着空間４１の中に装着された後、前記接点３９と前記電源接点４０とが接触し、前記下支持板１１の上端面には蓄電池２７が固定的に設置され、前記蓄電池２７は前記第二セルフコントロールバルブ４３、前記第一セルフコントロールバルブ３１、及び前記指示灯１６に電力を提供する。
【００２１】
有益なように、前記上支持板２０の上端面には前記旋転バット１８の右側に位置する固定バット１９が固定的に設置されている。
【００２２】
有益なように、前記下支持板１１の上端面には電動伸縮ロッド１２が左右対称となるようかつ固定的に設置され、前記上支持板２０が前記電動伸縮ロッド１２の上側にあるプッシュロッドの上端に固定的に装着されている。
【００２３】
本願発明の作動順序は以下の通りであり、手術前に、手術器具を番号の順に収容空間３０の中に入れ、装着桶３６を装着桶３６に対応した装着空間４１の中に装着し、ガーゼやマスクなどのような医療用品を固定バット１９に置き、電動伸縮ロッド１２を作動させることで上支持板２０の高さは調整されることができ、
手術中、医療スタッフは装着板２９の前側に立ち、医師は必要な手術器具を言い出した後、看護師は手術器具に対応したスイッチ２８を押し、旋転モーター１５が作動することで旋転軸１３を回転させ、旋転軸１３が旋転バット１８を駆動して回転させ、正確な手術器具がある装着桶３６を装着板２９に近接するように回転させ、指示灯１６が明かり、この時、医療スタッフは手術器具を直接取り出し、探すのは不要であり、
使用済み後、手術器具を収容空間３０の中に戻し、こうして再使用する場合、第二セルフコントロールバルブ４３が開けられ、消毒液はノズル３５から手術器具に噴き出して洗浄と消毒をし、消毒液は水管４４、排水管２３から廃水貯蔵桶２４の中に排出して貯蔵され、洗浄完了後、ファン２１が作動することで送風ノズル３３は手術器具に風を送り、電熱板３４が作動して手術器具を素早く乾燥する。
【００２４】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】      （修正有）【課題】手術器具を取るのに便利な医療用バットを提供する。【解決手段】下支持板１１と下支持板の下側に設置された移動輪１０とを含み、下支持板の上側には高さを調整できる上支持板２０が設置され、上支持板の上端面には旋転モーター１５が固定的に設置され、旋転モーターの上側には旋転軸１３が伝動可能に連結され、旋転軸の上端には旋転バット１８が固定的に設置され、旋転バットの中には装着空間が設置され、装着空間が上方に開口し、二つの医療用バットを設置し、一つの医療用バットにはガーゼや縫合糸などの使い捨てものを置き、もう一つの医療用バットにはハサミやメスなどの手術器具を置き、手術器具のある医療用バットは旋転でき、看護師は医師の必要とする器具によって対応のスイッチを押し、バットは正確な器具を指定位置まで回転させ、手動で器具を探すことは不要である。【選択図】図１【図１】
0006764070.tif 000002
【図２】
0006764070.tif 000003
【図３】
0006764070.tif 000004
【図４】
0006764070.tif 000005